(57)【要約】【課題】エレベーターの乗りかご内もしくは乗場において、行先階もしくは行先方向の登録を行う場合、エレベーター利用者が荷物などを持ち両手がふさがった状態では、行先階もしくは行先方向の登録を行うためのボタンを容易に押すことができないという問題があった。【解決手段】エレベーターの乗りかご内もしくは乗場に、ひじなどの指以外の身体で操作可能な操作レバー１および表示装置２を設け、操作レバー１を操作することにより、表示装置２に行先階もしくは行先方向を表示させ、さらに操作レバー１を操作することにより行先階もしくは行先方向を登録する。【選択図】図１
2008044696.tif 000002
【特許請求の範囲】
【請求項１】
レバー形状の行先選択装置および表示装置を備え、レバー操作により行先階もしくは行先方向の選択および登録を行い、選択する行先階もしくは行先方向を表示装置に表示することを特徴とするエレベーターの行先登録装置。
【請求項２】
請求項１記載のエレベーターの行先登録装置において、レバーを中立状態から一方向に倒すことにより行先階の選択を行い、レバーを中立状態から奥方向に押し込むことにより行先階の登録を行うことを特徴とするエレベーターの行先登録装置。
【請求項３】
請求項１記載のエレベーターの行先登録装置において、レバーを中立状態から一方向に倒すことにより行先方向の選択および登録を行うことを特徴とするエレベーターの行先登録装置。
【請求項４】
請求項１記載のエレベーターの行先登録装置において、所定のレバー操作にて、ドアが開いた状態を継続する、もしくはドアが閉じることを特徴とするエレベーターの行先登録装置。
【発明の詳細な説明】
【技術分野】
【０００１】
本発明は、エレベーターの乗りかご内もしくは乗場において、行先階もしくは行先方向の登録を行うエレベーターの行先登録装置に関する。
【背景技術】
【０００２】
エレベーターのかご内にて行先階を登録する場合、従来は一般的なエレベーターに見られるように、行先階と同数のボタンをかご内運転盤に配置し、そのボタンを押すことにより行先階を登録していた。
【０００３】
また、行先階と同数のボタンを設けない例として、上昇、下降ボタンを設け、そのボタンにより行先階を選択し、別に設けた登録ボタンにより行先階を登録する方法がある（特許文献１参照）。
【０００４】
また、エレベーターの乗場にて、上昇、下降の行先方向を登録する場合、従来は一般的なエレベーター乗場に見られるように、上昇、下降の行先方向を示したボタンをエレベーター乗場に配置し、そのボタンを押すことにより行先方向を登録していた。
【特許文献１】特開２０００−１０３５７６号公報（段落０００８〜００１１、図１）
【発明の開示】
【発明が解決しようとする課題】
【０００５】
しかし、従来の構成においては、いずれも指にてボタンを押し行先階もしくは行先方向を登録していたため、エレベーター利用者が荷物などを持ち両手がふさがった状態では、行先階ボタンもしくは行先方向ボタンを容易に押すことができないという問題があった。
【０００６】
そこで本発明は、指でボタンを押すことなく、エレベーターの行先階もしくは行先方向の選択および登録を行うことが可能な、エレベーターの行先登録装置を提供することを目的とする。
【課題を解決するための手段】
【０００７】
上記目的を達成するために、本発明は、ひじやひざなどの指以外の身体で操作可能なレバー形状の行先登録装置および表示装置を備え、レバー操作により行先階もしくは行先方向の選択および登録を行い、選択および登録する行先階もしくは行先方向を表示装置に表示することを特徴とする。
【０００８】
エレベーターのかご内にて行先階を選択するには、レバーを中立状態から一方向に倒すことにより行先階を選択する。その際、階床数字が表示装置に表示されるので行先階を確認できる。
【０００９】
行先階を登録するには、レバーを中立状態から奥方向に押し込むことにより行先階の登録を行う。
【００１０】
エレベーターの乗場にて行先方向を選択するには、レバーを中立状態から一方向に倒すことにより行先方向の選択および登録を行う。その際、上昇、下降の行先方向が表示装置に表示されるので行先方向を確認できる。
【００１１】
また、かご内においては、所定のレバー操作にて、ドアが開いた状態を継続する、もしくはドアを閉じる動作を行うことが可能である。
【発明の効果】
【００１２】
本発明によれば、エレベーター利用者が、ひじやひざなどの指以外の身体で行先登録装置のレバーを操作することにより、両手がふさがった状態においても行先階もしくは行先方向の選択および登録が可能となるため、エレベーター利用者の利便性向上が図れる。
【発明を実施するための最良の形態】
【００１３】
以下、本発明の実施例を図面を参照して説明する。
【００１４】
図１は、本発明を実施したエレベーターかご内を示す図である。図２は、操作レバーの動作部分を示す図である。図３は、本発明を実施したエレベーター乗場を示す図である。図１において、１は操作レバー、１ａは操作レバー支点、１ｂは操作レバー動作検知部、２は表示装置、３ａは上昇側案内表示、３ｂは下降側案内表示、４はかご側板を示す。操作レバー１は、かご側板４内の操作レバー支点１ａを支点にして、左右いずれの方向にも倒すことが可能な構造となっている。また、操作レバー１は、左右いずれの方向にも倒していない中立状態において、奥方向（図１においては、かご側板４の方向）に押し込むことが可能な構造となっている。操作レバー１の倒れ方向や押し込み動作は、操作レバー動作検知部１ｂにて検知する。操作レバー１は倒したり押し込んだりする操作後は自動的に中立状態に戻る。なお、操作レバー１を倒したり押し込んだりする操作は、ひじやひざなどの指以外の身体の動作で操作可能である。
【００１５】
なお、図１において、操作レバー１は垂直方向に配置しているが、これを水平方向に配置してもかまわない。
【００１６】
表示装置２は、操作レバー１の操作に連動した行先階の階床もしくは上昇、下降の行先方向を表示する。なお表示装置２は、階床および行先方向の双方、もしくはそれに加えてエレベーターの現在位置などエレベーター運行に関する情報や、各階のテナント情報などを表示してもかまわない。操作レバー１を１回倒せば表示装置２の階床表示は１段階上昇または下降する。また操作レバー１を倒し続ければ表示装置２の階床表示は連続的に上昇または下降する。
【００１７】
上昇側案内表示３ａおよび下降側案内表示３ｂは、それぞれ表示装置２の行先階表示を上昇もしくは下降させるため、もしくは上昇、下降の行先方向を登録するために操作レバー１を倒す方向の目印となる表示である。操作レバー１を上昇側案内表示３ａの方向へ倒せば表示装置２の階床表示は上昇し、もしくは上昇の行先方向を表示し、下降側案内表示３ｂの方向へ倒せば階床表示は下降し、もしくは下降の行先方向を表示する。
【００１８】
図２において、１は中立状態にある前述の操作レバー、１ａは前述の操作レバー支点、１ｂは前述の操作レバー動作検知部、６は支点支持部材、７はガイド溝、７ａは操作レバー倒れ時ガイド溝、７ｂは操作レバー押し込み時ガイド溝、８はガイド軸、９ａは操作レバー倒れ復帰バネ、９ｂは操作レバー押し込み復帰バネ、１０ａは一方の操作レバー倒れ検知スイッチ、１０ｂは他方の操作レバー倒れ検知スイッチ、１０ｃは操作レバー押し込み検知スイッチを示す。操作レバー支点１ａと支点支持部材６は固定されている。支点支持部材６の内部もしくは縁部は、穴形状もしくは溝形状となっており、その穴もしくは溝に操作レバー１が嵌まり込む構造となっている。
【００１９】
操作レバー１は支点支持部材６と一体に、操作レバー支点１ａを軸として回動する。
【００２０】
また、操作レバー１は支点支持部材６の穴もしくは溝に沿って摺動する。
【００２１】
ガイド溝７は、操作レバー倒れ時ガイド溝７ａおよび操作レバー押し込み時ガイド溝７ｂにて構成される。操作レバー倒れ時ガイド溝７ａは、操作レバー支点１ａを中心とした円弧状の溝形状となっている。また、操作レバー押し込み時ガイド溝７ｂは、操作レバー１が中立状態にある時に操作レバー１を押し込むことが可能な方向へ配置された直線状の溝形状となっている。
【００２２】
操作レバー１にはガイド軸８が設けられている。ガイド軸８は、ガイド溝７に験嵌まり込む構造になっている。操作レバー１を一方向に倒すと、ガイド軸８が操作レバー倒れ時ガイド溝７ａを移動する。また、操作レバー１が中立状態にある時に操作レバー１を押し込むとガイド軸８が操作レバー押し込み時ガイド溝７ｂを移動する。操作レバー１が中立状態にない、すなわち操作レバー１を倒している位置においては、ガイド軸８が操作レバー押し込み時ガイド溝７ｂに嵌まり込むことができないため、操作レバー１を押し込むことはできない。
【００２３】
操作レバー倒れ復帰バネ９ａは、一方の端部が操作レバー１に固定され、他方の端部が、エレベーターのかご側板や壁などに固定されている。図２では、中立状態にある操作レバー１の両側に操作レバー倒れ復帰バネ９ａを配置した例を示す。この場合、操作レバー１を一方向に倒したときに、一方のバネは伸び、他方のバネは縮む動作になる。操作レバー１を一方向へ倒した状態で、倒すのをやめると、操作レバー倒れ復帰バネ９ａの復元力により自動的に中立状態に復帰する。
【００２４】
操作レバー押し込み復帰バネ９ｂは、一方の端部が操作レバー１に固定され、他方の端部が、支点支持部材６に固定されている。図２では、中立状態にある操作レバー１の両側に操作レバー押し込み復帰バネ９ｂを配置した例を示す。操作レバー１を押し込むとバネが伸び、押し込むのをやめると、操作レバー押し込み復帰バネ９ｂの復元力により自動的に中立状態に復帰する。
【００２５】
操作レバー動作検知部１ｂには、一方の操作レバー倒れ検知スイッチ１０ａ、他方の操作レバー倒れ検知スイッチ１０ｂおよび操作レバー押し込み検知スイッチ１０ｃが配置されている。これらのスイッチは、例えばスイッチの先端部に物体が接触したらスイッチが作動（内部回路がオンまたはオフ）する構造となっている。
【００２６】
操作レバー１の操作により、操作レバー１のある部分がこれらのスイッチに接触し、スイッチが作動する。
【００２７】
中立状態にある操作レバー１を倒すと、倒す方向により操作レバー倒れ検知スイッチ１０ａもしくは１０ｂが作動する。このスイッチの作動により、行先階の選択や行先方向の登録など所定の動作を行う。
【００２８】
中立状態にある操作レバー１を押し込むと、操作レバー押し込み検知スイッチ１０ｃが作動する。このスイッチの作動により、行先階の登録など所定の動作を行う。
【００２９】
図３において、５はエレベーター乗場出入口を示す。エレベーター乗場出入口５の近傍の壁面などに、操作レバー１、表示装置２、上昇側案内表示３ａおよび下降側案内表示３ｂが配置されている。
【００３０】
まず、図１を用いて、エレベーターかご内にて行先階を登録する方法について説明する。エレベーターヘ乗り込んだ階床から上昇する場合は、中立状態にある操作レバー１を、上昇側案内表示３ａの方向に倒す。下降する場合は、操作レバー１を下降側案内表示３ｂの方向に倒す。上昇、下降する場合共に、表示装置２に行先となる階床が表示されるまで操作レバー１を倒す。希望する行先階床が表示されたら操作レバー１を倒すのをやめる。この時操作レバー１は自動的に中立状態に戻る。ここで、万一表示が希望する行先階床を超えてしまった場合は、操作レバー１を他方向に倒せば、階床表示も他方向側に変化する。
【００３１】
表示装置２の表示が希望する行先階床であれば、中立状態にある操作レバー１をかご側板４の方向に１回押し込むことにより、表示装置２に表示されている階床がエレベーターの行先階として登録される。
【００３２】
希望する行先階床が複数ある場合、その都度上記操作を行い行先階床を登録する。登録された複数の行先階床は、表示装置２に表示される。
【００３３】
また、あらかじめ定められた操作方法により操作レバー１を操作することにより、ドアの開閉動作を制御することが可能である。例えば、エレベーターかご内において、中立状態にある操作レバー１を連続して奥方向へ押し続ければ、その間ドアが開き続け、また行先階登録後に操作レバー１を行先方向とは他方向側に一定時間押し続けるとドアが閉じる、というようなドア開閉動作の制御が可能である。
【００３４】
次に、図３を用いて、エレベーター乗場にて行先方向を登録する方法について説明する。
【００３５】
例えば、エレベーター利用者が今居る階床から上方向の階床に行きたい場合は、中立状態にある操作レバー１を上昇側案内表示３ａの方向に倒す。逆に今居る階床から下方向の階床に行きたい場合は、操作レバー１を下降側案内表示３ｂ  の方向に倒す。この操作により上昇もしくは下降のエレベーター行先方向が登録される。表示装置２に上昇もしくは下降の行先方向が表示されるので、それを見ることにより行先方向を確認できる。
【００３６】
本発明によれば、エレベーター利用者が、ひじやひざなどの指以外の身体で行先登録装置のレバーを操作することにより、両手がふさがった状態においても行先階もしくは行先方向の選択および登録が可能となるため、エレベーター利用者の利便性向上が図れる。
【図面の簡単な説明】
【００３７】
【図１】本発明の一実施形態を示すエレベーターかご内の斜視図である。
【図２】図１における操作レバー１の動作部分を示した平面図である。
【図３】本発明の他の実施形態を示すエレベーター乗場の正面図である。
【符号の説明】
【００３８】
１    操作レバー、
１ａ  操作レバー支点、
１ｂ  操作レバー動作検知部、
２    表示装置、
３ａ  上昇側案内表示、
３ｂ  下降側案内表示、
４    かご側板、
５    エレベーター乗場出入口
６    支点支持部材、
７    ガイド溝、
７ａ  操作レバー倒れ時ガイド溝、
７ｂ  操作レバー押し込み時ガイド溝、
８    ガイド軸、
９ａ  操作レバー倒れ復帰バネ、
９ｂ  操作レバー押し込み復帰バネ、
１０ａ  一方の操作レバー倒れ検知スイッチ、
１０ｂ  他方の操作レバー倒れ検知スイッチ、
１０ｃ  操作レバー押し込み検知スイッチ
【図１】
2008044696.tif 000003
【図２】
2008044696.tif 000004
【図３】
2008044696.tif 000005